(57)【要約】      （修正有）【課題】キャンプ場のテント内など狭い空間内で扇風機をロープや棒に吊下げて使用する場合、人が誤って頭を扇風機に打ちつけても、扇風機が落下して人に当たりケガするなど、重大事故の発生を防止しアウトドアのキャンプの狭いテント内でも扇風機を吊下げて使用可能な扇風機を提供する。【解決手段】バッテリを内蔵する基台ハウジング１の一方の面には、直交する方向に立設した支柱２と、バッテリを電源として回転する電動モータによって回転する羽根５とを設け、基台ハウジングの他方の面に形成された凹部に収容可能な吊下げ部材９は、半円弧状の部材であって、他方の面と直交する方向に回動させて突出させたとき、基台ハウジングの他方の面と共同して閉空間を形成して扇風機の落下を防止する。【選択図】図１
2022001758.tif 000002
【特許請求の範囲】
【請求項１】
バッテリを内蔵する基台ハウジングと、基台ハウジングの一方の面と直交する方向に延びた支柱と、前記バッテリを電源として回転する電動モータ及び電動モータによって回転する羽根とからなる扇風機本体と、前記基台ハウジングの他方の面に形成された凹部に収容可能で、他方の面と直交する方向に回動させて突出させ吊り下げ可能にする吊下げ部材とを備えたバッテリ内蔵アウトドア用扇風機において、
前記吊り下げ部材は、半円弧状の形状で、円形な基台ハウジングの他方の面内の凹部に直径方向中心線上の２点を支点として回動可能に設けられており、他方の面と直交する方向に回動させて突出させたとき、前記基台ハウジングの他方の面と共同して閉空間を形成することを特徴とするバッテリ内蔵アウトドア用扇風機。
【請求項２】
前記吊下げ部材が、半円弧状の中央部分に、半円弧状の連続している他の部分より外方へ突出し位置決め係止するための係止部を有していることを特徴とする請求項１記載のバッテリ内蔵アウトドア用扇風機。
【請求項３】
前記吊り下げ部材を前記基台ハウジングの他方の面と直交する方向に回動させて突出させて、前記扇風機本体を吊下げ対象物に吊り下げたとき、前記電動モータ及び羽根を収容する扇風機本体を支持する前記支柱が鉛直方向を向くように、前記バッテリを内蔵する基台ハウジングの重心が設定されていることを特徴とする請求項１又は請求項２記載のバッテリ内蔵アウトドア用扇風機。
【発明の詳細な説明】
【技術分野】
【０００１】  本発明は、キャンプ、登山、非常時などアウトドアで用いるバッテリ内蔵アウトドア用扇風機に関する。
【背景技術】
【０００２】  キャンプ、登山、非常時などアウトドアで用いるアウトドア用扇風機としては、可搬には便利な手持ち扇風機では得られない風量が得られ、長時間の使用に耐えることが要求される。かといって、風量が十分ある一般の卓上型の扇風機では、十分な風量を確保する電力を確保するためＡＣ電源を必要とするので、ＡＣ電源を容易に得ることが出来ないアウトドア用扇風機としては不適当である。【０００３】  一方、建設現場などで用いられる電動工具を駆動させる電源として用いられる大容量の電動工具用バッテリを扇風機にも用いることが提案されている。【０００４】  このような扇風機として、特許文献１に、電動工具用バッテリが取外し可能に取付けられるバッテリ取付部と、電動工具用バッテリを電源とする電動モータと、電動モータにより回転する羽根を有しているバッテリ式扇風機が開示されている。。【０００５】  このバッテリ式扇風機は、羽根を収容しかつバッテリ取付部を備える本体ハウジングと、設置面に設置されかつ本体ハウジングを設置面に対して起立させる台座を有しており、吊り下げることを可能とするように本体ハウジングまたは台座に設けられて掛け対象部材に引っ掛けられるフックを有している。【０００６】  図５に示すように、このフック５３は、ベース５１に回転可能に左右２ケ所に分けてそれぞれ取付けられている。これらのフック５３は、取付部５３ａから直線状に延出する部分５３ｂ、５３ｂの先端から斜めに延出する部分５３ｃ、５３ｂと同じ方向に延出する５３ｄ、５３ｄの先端から５３ｃに対応する方向に略円弧状に延出する先端部５３ｅを有している。【０００７】  また、使用位置においてベース５１から本体１０Ｃと反対方向に延出しており、フック５３を掛け対象部材２５に吊り下げると、掛け対象部材２５の下に本体１０Ｃが位置するように構成されている。
【先行技術文献】
【特許文献】
【０００８】
【特許文献１】特開２０１８−０５３７７０号公報
【発明の概要】
【発明が解決しようとする課題】
【０００９】  しかしながら、このバッテリ式扇風機は、建設現場という比較的広い空間での使用を目的としているため、キャンプ場のテント内という狭い空間の中で吊下げて使用することを全く想定していない。【００１０】  そのため、狭いテント内で人が誤って頭を扇風機の本体Ｃに打ちつけ、図５のＰ点から矢印方向の上向きの力が本体Ｃに加わると、フック５３の略円弧状に延出する先端部５３ｅの下側は、フックという名称が示すように、開口しているので、フック５３は、掛け対象部材２５から簡単に外れて、本体１０Ｃは落下する。フック５３は、左右に分けて２個、互いに反対方向を向いて設けられているが、フックの開口部側へ回転する力が加わると簡単に外れてしまう。【００１１】  この電動工具用バッテリを内蔵する扇風機は、大容量のバッテリを内蔵しているだけに相当重量がある本体１０Ｃは落下した場合、ぶつかった人に大ケガを負わせてしまうことは容易に想到できることであり、重大な欠陥を有していると言える。【００１２】  したがって、特許文献１記載の発明は、前述したバッテリ内蔵扇風機をロープや棒に吊下げて使用している最中に、人が誤って頭を扇風機に打ちつけた際、フックが簡単に棒などから外れて扇風機が落下してケガする恐れがあるという課題の存在について全く認識しておらず、課題の解決についての記載も全く無く、示唆する記述も無い。【００１３】  また、フック５３の形状は、開口部を棒に向けて引っ掛ける形状で、棒の太さと同程度の寸法なので、手で握って運ぶには不適当で、指に引っ掛けて運ばざるを得なく指を痛めやすい。しかも、２個のフック５３の先端は互いに逆方向を向いているので、片手で握ったのではバランスが悪く、両方のフック５３を両手の指に引っ掛けてでないと運搬が不自由である。【００１４】  本発明は、このようなアウトドアのキャンプ場のテント内など、狭い空間内で、扇風機をロープやテントの天井棒に吊り下げて使用する場合、人が誤って頭、顔、身体を扇風機に打ちつけても、バッテリ内蔵扇風機の落下という重大事故を発生する恐れが全くなく、運搬も容易で、確実に安全で、アウトドアのキャンプの狭いテント内でも吊り下げて使用可能なバッテリ内蔵アウトドア用扇風機を提供することを目的とする。
【課題を解決するための手段】
【００１５】  上記の課題は、下記の発明によって解決される。
第１の発明は、バッテリを内蔵する基台ハウジングと、基台ハウジングの一方の面と直交する方向に延びた支柱と、前記バッテリを電源として回転する電動モータ及び電動モータによって回転する羽根とからなる扇風機本体と、前記基台ハウジングの他方の面に形成された凹部に収容可能で、他方の面と直交する方向に回動させて突出させ吊り下げ可能にする吊下げ部材とを備えたバッテリ内蔵アウトドア用扇風機において、
前記吊下げ部材は、半円弧状の形状で、円形な基台ハウジングの他方の面内の凹部に直径方向中心線上の２点を支点として回動可能に設けられており、他方の面と直交する方向に回動させて突出させたとき、基台ハウジングの他方の面と共同して閉空間を形成することを特徴とする。【００１６】  第２の発明は、吊り下げ部材が、半円弧状の中央部分に、半円弧状の連続している他の部分より外方へ突出し位置決め係止するための係止部を有していることを特徴とする。【００１７】  第３の発明は、吊り下げ部材を基台ハウジングの他方の面と直交する方向に回動させて突出させて、扇風機本体を吊り下げ対象物に吊り下げたとき、電動モータ及び羽根を収容する扇風機本体を支持する支柱が鉛直方向を向くように、バッテリを内蔵する基台ハウジングの重心が設定されていることを特徴とする。
【発明の効果】
【００１８】  本発明によるバッテリ内蔵アウトドア用扇風機は、吊り下げ部材が、半円弧状の形状で、円形な基台ハウジングの他方の面の直径方向中心線上の２点を支点として回動可能に設けられており、他方の面と直交する方向に回動させて突出させたとき、前記基台ハウジングの他方の面と共同して閉空間を形成するので、扇風機を運搬する際、片手で握りやすく、アウトドアのキャンプ場のテント内など、狭い空間内でバッテリ内蔵アウトドア用扇風機の吊り下げ部にロープを通して吊り下げ、或いは、天井棒にカラビナ等を介して吊下げて使用する場合、人が間違って頭、顔、身体をバッテリ内蔵アウトドア用扇風機に打ちつけても、吊り下げ部材がロープや棒などから絶対外れることがなく、バッテリ内蔵扇風機が落下して重大事故を発生する恐れが全くなく、扇風機の冷風のもとに、安全で快適なキャンプ生活を過ごすことができる。【００１９】  また、吊り下げ部材が、半円弧状の吊下げ部材中央部分には、半円弧状の連続している他の部分より外方へ突出した係止部を有しているので、カラビナを介して容易にロープや棒などに位置決め係止することが出来、しかも、電動モータ及び羽根を収容する扇風機本体を支持する前記支柱が鉛直方向を向くように、前記バッテリを内蔵する基台ハウジングの重心が設定されているので、吊り下げた状態の
バランスが取れて美観がよく、送風も安定している。首振り型の扇風機の場合は首振り角度を安定に維持して送風ができる。吊り下げ部を基台ハウジング内に収容すれば、基台ハウジングを地面やテーブルの上に載置して卓上型扇風機としても使用できる。
【図面の簡単な説明】
【００２０】
【図１】本発明に係るバッテリ内蔵アウトドア用扇風機の正面図。
【図２】基台ハウジングと吊り下げ部材との関係を示す断面図。
【図３】基台ハウジングの他方の面の平面図
【図４】吊り下げ部材を基台ハウジングに収容した斜視図。
【図５】テント内にて吊り下げて使用している状態を示す参考図。
【図６】特許文献１記載の扇風機の一部右側面図。
【発明を実施するための形態】
【００２１】  本発明の実施の形態を図１〜５を参照して説明する。図１〜５に示すようにバッテリ内蔵アウトドア用扇風機は、充電式リチュウム電池などを内蔵する円形状の基台ハウジング１と、この基台ハウジング１の一方の面の中央より若干縁側よりの位置から、この面と直交する方向に延びた支柱２と、支柱２の他端に設けられた扇風機本体３とを備えている。
【００２２】  扇風機本体３は、電動モータ４と、電動モータ４によって回転する羽根５と、羽根５の周囲を覆う本体ハウジング６を有する。羽根５は、図１、図４に示すように電動モータ４に連結しており、中央部から放射線状に延出する３枚羽根から成る。
【００２３】  基台ハウジング１の内部には、４０００ｍＡｈ程度の電力を有する充電式リチュウム電池が内蔵されている。この大容量の充電式リチュウム電池を用いているので、このバッテリ内蔵アウトドア用扇風機は、風量が十分あり、最大２０時間という長時間の稼働が可能であり、ＡＣ電源が無いキャンプ場などアウトドアでも、長時間にわたって快適な冷風を供給することが可能である。この充電式リチュウム電池は、基台ハウジング１の側面に設けられたＵＳＢ端子７を介してパソコンなどの電源から充電される。
【００２４】  図１〜３に示すように、基台ハウジング１の他方の面に形成された円弧状の凹部８には、この凹部８内に収容されると共に、直径方向中心線Ｃ上の２点を支点として回動させて、他方の面の外側から直交方向に突出可能な吊り下げ部材９が取り付けてある。
【００２５】  この吊下げ部材９は、ワイヤなどで形成されており、バッテリ内蔵アウトドア用扇風機をキャンプ場、登山、非常時における避難場所へ運搬する際、片手で握りやすい円弧状に形成されている。
【００２６】  円弧状の吊下げ部材９の中央部分には、連続した他の部分より円弧外方へ突出するように屈曲した係止部１０が形成されている。この係止部１０は、図５の使用状態を示す図から明らかなように、カラビナ１１などの連結具を用いて、吊り下げ対象物であるテント１２の天井パイプ１３に吊下げる場合の位置決め係止する働きをしている。この係止部１０によって、扇風機本体３が首振り型の扇風機として機能する場合の首振り角度がほぼ一定となり、安定した送風が可能となる。なお、この係止部１０の屈曲度合いは、位置決め出来る形状であればよく、図１、３、４に示した形状より深く屈曲、或いは、なだらかに屈曲させてもよい。
【００２７】  また、図２及び図３から明らかなように、吊り下げ部材９を使用しない場合に、矢印方向に回動させて基台ハウジング１の他方の面に形成された凹部８内に収容する。吊り下げ部材９を矢印方向に回動させて凹部８から立ち上げ、或いは、凹部８に収容しやすくするため、指を入れやすく円弧状中央付近の凹部１４は広めに形成されている。
【００２８】  吊り下げ部材９を凹部８に収容した状態では、基台ハウジング１の他方の面から吊り下げ部９が突出しないので、基台ハウジング１を地面やテーブルの上に安定に立てることが出来、卓上扇風機として使用できる。
【００２９】  図５は、本発明に係るバッテリ内蔵アウトドア用扇風機をテント１２内で、天井のパイプ１３にカラビナ１１を介して吊り下げて使用している状態を示している。狭いテント内の地面近くには、様々な物品が置かれ、寝る場所を確保するために、扇風機を地面に載置することは難しいが、天井近辺は図５から明らかなとおり空いており、バッテリ内蔵アウトドア用扇風機を吊り下げて使用できる。したがって、猛暑の夏のキャンプ場でのテント１２内という狭い空間でも心地よい冷風を浴びることが出来る。
【００３０】  あってはならないことではあるが、仮に、狭いテント９内で睡眠から覚め、朦朧として頭脳の状態で、扇風機の存在を忘れ、気づかずに突然起き上がって、誤って頭、顔、身体を扇風機に打ちつけたとしても、図５の矢印方向の力を扇風機に加えたとしても、本発明に係るバッテリ内蔵アウトドア用扇風機を使用しているかぎり、円弧状の吊り下げ部材９と基台ハウジング１との共同で形成される空間は閉空間、閉ループとなって開口部が無く、同じく閉空間を形成するカナビラ１１などと互いにリング状に連結しているので、誤って頭や顔などを扇風機に打ちつけても、テント１２内の天井パイプ１３などの吊り下げ対象物から吊下げ部材９が外れてバッテリ内蔵アウトドア用扇風機が物理的に落ちることは全くなく、大ケガをする恐れはなく安全である。
【符号の説明】
【００３１】  １  基台ハウジング
２  支柱
３  扇風機本体
４  電動モータ
５  羽根
６  本体ハウジング
７  ＵＳＢ端子
８  凹部
９  吊下げ部材
１０  係止部
１１  カラビナ
１２  テント
１３  天井パイプ
１４  凹部
【図１】
2022001758.tif 000003
【図２】
2022001758.tif 000004
【図３】
2022001758.tif 000005
【図４】
2022001758.tif 000006
【図５】
2022001758.tif 000007
【図６】
2022001758.tif 000008